(57)【特許請求の範囲】
【請求項１】
配列面上に配列された複数の発光素子を備える光源と、前記光源を保持する光源ホルダと、前記光源からの光を透過させる光学素子と、前記光学素子を保持する鏡筒と、前記鏡筒を保持する鏡筒ホルダを備えた光源装置であって、
前記光源ホルダと前記鏡筒ホルダとを弾性体を介して伸縮可能に結合する結合用ネジと、前記鏡筒ホルダを前記光学素子の光軸を中心として回転可能に保持するベースと、前記光学素子の光軸方向を微調整したのちに前記鏡筒を前記鏡筒ホルダに固定する固定ネジを備え、
前記光源ホルダは、前記結合用ネジを挿入するための、前記結合用ネジの直径に対し余裕寸法を有する直径の開口であって、前記発光素子の配列方向と同じ方向に配列され、且つ、前記光源に対し対称になるように配置されている複数の開口を有し、
前記固定ネジは、前記光学素子の光軸に対し垂直方向から前記鏡筒を突き当て固定するよう配置されていることを特徴とする光源装置。
【請求項２】
前記結合用ネジは、前記光学素子の光軸に対して前記光源の配列面の傾きを調整できることを特徴とする請求項１に記載の光源装置。
【請求項３】
前記結合用ネジは、前記光学素子の光軸に対して光源の発光方向を制御して前記光源ホルダと前記鏡筒ホルダとを結合できることを特徴とする請求項１又は２に記載の光源装置。
【請求項４】
前記光源ホルダは、前記結合用ネジを挿入するための、前記結合用ネジの直径に対し余裕寸法を有する直径の開口であって、前記複数の開口の配列方向と垂直な方向に、且つ、前記光源に対し対称になるように配置されている複数の開口をさらに有することを特徴とする請求項１〜３のいずれか一項に記載の光源装置。
【請求項５】
前記弾性体は、ゴム又はバネであることを特徴とする請求項１〜４のいずれか一項に記載の光源装置。
【請求項６】
複数の光源装置から出射した光線を合成して合成光線として出射する合成光源装置であって、
前記光源装置が請求項１〜５のいずれか一項に記載の光源装置であることを特徴とする合成光源装置。
【請求項７】
光源装置又は合成光源装置と、前記光源装置又は前記合成光源装置から出射した光線を偏向走査する偏光装置とを備えた光走査装置であって、
前記光源装置は請求項１〜５のいずれか一項に記載の光源装置であり、前記合成光源装置は請求項６に記載の合成光源装置あることを特徴とする光走査装置。
【請求項８】
感光体と、前記感光体を帯電させる帯電装置と、画像情報を光走査により前記感光体上に静電潜像として形成する光走査装置と、前記静電潜像にトナーを付着してトナー像を形成する現像装置と、前記トナー像を記録媒体上に転写する転写装置と、転写されたトナー像を記録媒体上に定着する定着装置とを備えた画像形成装置であって、
前記光走査装置が請求項７に記載の光走査装置であることを特徴とする画像形成装置。
【発明の詳細な説明】
【技術分野】
【０００１】
本発明は、光源装置、合成光源装置、光走査装置、及び画像形成装置に関する。
【背景技術】
【０００２】
電子写真方式の画像形成装置で高い画像品質を得るためには、露光走査が感光体ドラム上の適正な位置で行われ、かつビームスポットが感光体ドラム上で適正に結像されなければならない。このためには、光源から出射される光が変動することなく、適正に感光体ドラム上に到達するように工夫する必要がある。そこで、光源及びコリメータレンズ等の取り付けに際しては、高い位置精度を求められている。従来から、光源の位置精度を確保するために、光源やコリメータレンズの固定方法について種々の提案がなされている。
【０００３】
例えば、特許文献１には、レーザ溶接により鏡筒を光源の搭載された基台に固定する構造が提案されている。具体的な光源装置の構成では、レーザ溶接でコリメータレンズが装填された鏡筒を基台に固定されている。そして、基台に対する鏡筒の保持構造が、光軸に対し左右方向は対称となっている。これは、コリメータレンズが装着された鏡筒を光源装置にネジ止めする際に発生する取り付け誤差によって、コリメータレンズと光源との位置変動が発生する不具合を解消することを目的としている。鏡筒と光源の搭載された基台とを溶接する位置は光軸と直交する光学素子の主点を含む平面としており、溶接点は複数の方が良いともしている。
【０００４】
他の方法として、特許文献２には、半導体レーザを、直接、基板に圧入し、コリメートレンズの光軸方向位置及び光軸垂直方向位置を調整した状態でレンズホルダを基板に接着する方法が提案されている。この光源装置の場合は、コリメータレンズの光軸方向及び光軸垂直方向位置の調整は、接着前に実施され、光源装置の周辺には接着剤が充填されている。この光源装置の製造方法においては、光源装置の部品点数を削減し、組み立て工数を削減することができるとしている。
【０００５】
さらに他の方法として、特許文献３には、光源とコリメータレンズの光軸方向の間隔を移動可能に保持し、鏡筒部の熱膨張に応じて、光源とコリメータレンズの間隔を補正する構造の光源装置が開示されている。具体的な光源装置の構成としては、光源にジンバルバネやバイメタル等の位置補正手段を設け、環境温度変化に応じて光源とコリメータレンズの距離が変化しても、光源とコリメータレンズの距離を補正可能にしている。この構造の光源装置は、環境温度変化による光スポットの広がりやぼけ等の悪化を防止することができるとしている。
【特許文献１】特開２００１−１１１１５５号公報
【特許文献２】特開平８−２４８２８５号公報
【特許文献３】特開２００２−３２９９１６号公報
【発明の開示】
【発明が解決しようとする課題】
【０００６】
上述のように、従来から、光源の位置精度を確保するために、光源及びコリメータレンズ等の取り付けに関して多くの提案がなされているが、問題が全て解決したわけではない。特許文献１に記載の光源装置の構成では、基台に対する鏡筒の保持構造が、光軸に対し左右方向は対称となっているものの、上下方向は対称になっていないので、環境温度の変動により、レンズ光軸が上下変動するという問題が発生する。特に複数の光源装置を合成する場合、光源装置間に温度差があると、コリメータレンズの高さ方向の変動量が各光源装置によって異なり、複数の光源装置からの光線の相対位置ずれが生じるので、画質に悪影響を及ぼしてしまう。最近の画像の高ドット密度化に伴い、走査間隔が小さくなりつつある状況においては、光源及び光軸のズレによる、走査間隔の変動は大きな問題となっている。
【０００７】
特許文献２に記載の光源装置の場合は、光源装置のコリメータレンズの周辺には接着剤が充填されおり、環境温度の変化等で接着剤が膨張収縮するので、コリメータレンズの位置ずれが生じ、光源とコリメータレンズの光軸ずれを引き起こすという問題があった。
【０００８】
特許文献３に記載の光源装置の構成では、環境温度変化によって光源とコリメータレンズの距離が変化しても、ジンバルバネによって光源とコリメータレンズの距離を補正可能にしている。しかしながら、ジンバルバネで補正をすると、光源が光軸を中心に回転してしまう。発光素子が一つの場合は、光源が回転しても問題ないが、複数の発光素子を備える光源では光軸を中心とした回転方向の位置を変化させると、被走査面上の光スポットの配置が変化し、走査間隔が変動してしまうので問題である。また、バイメタルや圧電素子及びマグネット等による間隔調整は、光源とコリメータレンズの距離の補正には有益であるが、複数の発光素子を備える光源の実装面の傾きを補正することはできないので問題である。
【０００９】
焦点位置ずれしたときのスポット径は一般に下式により求められる。
【００１０】
【数１】
0005025347.tif 000002
【００１１】
上式に従って具体的なスポット径の変化を試算してみると、例えば、波長６８０ｎｍで、スポット直径１００μｍであったとした場合、焦点位置ずれが１ｍｍあったすると、上式より、スポット直径は１００．４μｍとなり、０．４％の変化しかしない。従来の走査光学系の場合、例えば２４０ｄｐｉであったなら、スポット直径は１００μｍ前後であり、上記のようにスポット直径の変化が小さく焦点深度が大きいため、光源配列面の傾きによる焦点位置ずれがあっても、スポット直径の変化は問題にはならなかった。しかし、スポット直径が小さくなると、例えばスポット直径が４０μｍとなった場合、焦点位置が１ｍｍずれるとスポット直径が４５．５μｍととなり、１４％も変化してしまう。記録媒体上の焦点位置と光源位置の関係は光学系の縦倍率で決まり、例えば縦倍率が１００であれば、光源位置ずれが１／１００ｍｍのとき焦点位置ずれが１ｍｍとなる。このように、焦点位置、見方を変えると光源の位置が１ｍｍずれただけでも、同一走査中のスポット直径が大きくばらつくということは、複数の発光素子を持つ光源装置において、発光素子間に位置ずれが生じると、それぞれのスポットの大きさが大きくばらついてしまい、均質な画像形成が困難となることを表している。
【００１２】
図８は、５つの発光素子を等間隔に配列した光源の光源配列面の傾きの様子を示した図である。５０は、図示していないコリメータレンズ等の光を受光する光学素子の光軸方向を示す矢印であり、直線５１は光源配列面がこの光軸と垂直である状態を示し、点線５２は光源配列面が光軸と垂直でない、傾いた状態を示す。５３は個々の発光素子を表す。発光素子５３の発光方向は光源配列面の法線方向である。点線５２で示す光源配列面の状態の場合、中央の発光素子を基準にすると、一番外側（図の最も上又は下）の発光素子は、中央の発光素子のすぐ隣の発光素子よりも光軸方向に２倍ずれている。このことは、同じ傾きであっても光源素子数が、例えば中央の３個である場合に比べて５個とした場合、最大の光源位置ずれ量が２倍となることを示している。光源配列面が同じ傾きであっても、光源配列数がさらに多くなると、発光素子間の間隔はほとんど変わらないので、光源位置ずれもそれに応じて大きくなる。走査面の焦点位置ずれはこの光源位置ずれに比例して発生する。よって、従来のように、光源配列面における発光素子数が少ない、又は一つの場合は、焦点位置ずれが小さいのでスポット径に影響することが少なかった。しかし、光源配列面における発光素子数が多くなると、焦点位置ずれが大きくなり、それに伴ってスポット直径のばらつきが大きくなることが問題となってきた。
【００１３】
本発明の目的は、上記課題を踏まえ、複数の発光素子を備える光源の配列面の設置方向を容易に精密に調整できる光源装置、及び合成光源装置、並びにこれらを備えた光走査装置、及び画像形成装置を提供することである。
【課題を解決するための手段】
【００１４】
上記課題を解決するため本発明者等は、以下の発明を完成した。
本発明は、配列面上に配列された複数の発光素子を備える光源と、前記光源を保持する光源ホルダと、前記光源からの光を透過させる光学素子と、前記光学素子を保持する鏡筒と、前記鏡筒を保持する鏡筒ホルダを備えた光源装置であって、前記光源ホルダと前記鏡筒ホルダとを弾性体を介して伸縮可能に結合する結合用ネジと、前記鏡筒ホルダを前記光学素子の光軸を中心として回転可能に保持するベースと、前記光学素子の光軸方向を微調整したのちに前記鏡筒を前記鏡筒ホルダに固定する固定ネジを備え、前記光源ホルダは、前記結合用ネジを挿入するための、前記結合用ネジの直径に対し余裕寸法を有する直径の開口であって、前記発光素子の配列方向と同じ方向に配列され、且つ、前記光源に対し対称になるように配置されている複数の開口を有し、前記固定ネジは、前記光学素子の光軸に対し垂直方向から前記鏡筒を突き当て固定するよう配置されていることを特徴とする光源装置である。
【００１５】
好ましい本発明は、前記結合用ネジは、前記光学素子の光軸に対して前記光源の配列面の傾きを調整できることを特徴とする前記光源装置である。
また、参考の発明は、複数の発光素子を備える光源と、前記光源を保持する光源ホルダと、前記光源からの光を透過させる光学素子と、前記光学素子を保持する鏡筒を備えた光源装置であって、前記光源ホルダと鏡筒とを押圧部材を介して伸縮可能に結合する結合部材を有することを特徴とする光源装置である。
【００１６】
好ましい本発明は、前記結合部材が、光学素子の光軸に対して光源の発光方向を制御して光源ホルダと鏡筒とを結合できることを特徴とする前記光源装置である。
【００１７】
好ましい本発明は、前記光源ホルダは、前記結合用ネジを挿入するための、前記結合用ネジの直径に対し余裕寸法を有する直径の開口であって、前記複数の開口の配列方向と垂直な方向に、且つ、前記光源に対し対称になるように配置されている複数の開口をさらに有することを特徴とする前記光源装置である。
【００１８】
好ましい本発明は、前記結合部材は、ネジであることを特徴とする前記光源装置である。
【００１９】
好ましい本発明は、前記押圧部材は、弾性体であることを特徴とする前記光源装置である。
【００２０】
好ましい本発明は、前記弾性体は、ゴム又はバネであることを特徴とする前記光源装置である。
【００２１】
本発明は、複数の光源装置から出射した光線を合成して合成光線として出射する合成光源装置であって、前記光源装置が前記本発明の光源装置であることを特徴とする合成光源装置である。
【００２２】
本発明は、光源装置又は合成光源装置と、前記光源装置又は前記合成光源装置から出射した光線を偏向走査する偏光装置とを備えた光走査装置であって、前記光源装置が前記光源装置であり、前記合成光源装置が前記合成光源装置であることを特徴とする光走査装置である。
【００２３】
本発明は、感光体と、前記感光体を帯電させる帯電装置と、画像情報を光走査により前記感光体上に静電潜像として形成する光走査装置と、前記静電潜像にトナーを付着してトナー像を形成する現像装置と、前記トナー像を記録媒体上に転写する転写装置と、転写されたトナー像を記録媒体上に定着する定着装置とを備えた画像形成装置であって、前記光走査装置が前記本発明の光走査装置であることを特徴とする画像形成装置である。
【発明の効果】
【００２４】
本発明によれば、複数の発光素子を備える光源の配列面の設置方向を容易に精密に調整できる光源装置、及び合成光源装置、並びにこれらを備えた光走査装置、及び画像形成装置を提供することができる。
【発明を実施するための最良の形態】
【００２５】
本発明を実施するための最良の形態を必要に応じて図面を参照にして説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明の好ましい形態における例であって、この特許請求の範囲を限定するものではない。
【００２６】
（第１の実施形態）
本発明の第１の実施形態を図１、図５、図６、図７、図１０を参照にしながら説明する。図１、図１０は、本発明の第１の実施形態の光源装置２０の斜視図と断面図であり、図５はその光源装置２０を用いた光走査装置１１の概略構成図である。図６は、複数の光源装置２０を備えた合成光源装置を含む光走査装置１１を用いた画像形成装置の概略構成図であり、図７は光源ホルダの平面図である。
【００２７】
まず、本発明の第１の実施形態に係る画像形成装置の概略構成を、図６を参照にして説明する。トナー像を形成するためのドラム形状の感光体１８は、図示しないモータによって一定の周速度で時計回りに回転している。この感光体１８の表面は、帯電装置１０に対向する部分で所定の極性に均一に帯電された後、後述する光走査装置１１からの光線により露光され、記録されるべき画像情報に対応した静電潜像が形成される。この露光位置の回転方向下流側には現像装置１２が配置され、現像装置１２により感光体１８上の潜像からトナー像が形成される。
【００２８】
記録媒体である印刷用紙１３は、搬送ローラ対などの搬送装置１４で搬送されて転写装置１５と感光体１８との間に導入され、転写装置１５で印刷用紙１３の背面にトナーと逆極性の帯電を行なうことにより、感光体１８上のトナー像を印刷用紙１３上に転写される。トナー像の転写後、転写されなかった感光体１８上の残留トナーは、清掃装置１６によって除去され、清掃された感光体１８の表面は、再度耐電装置１０により帯電され次の現像操作が繰り返される。感光体１８からトナー像が転写された印刷用紙１３は定着装置１７へ搬送される。
【００２９】
定着装置１７は、一定温度に加熱制御したヒートローラ１７ａと、それに圧接する加圧ローラ１７ｂとを含んで構成されている。ここを通過するとき、印刷用紙１３上に保持されたトナー像は加圧溶融され印刷用紙１３上に定着される。この定着処理後、印刷用紙１３は、画像形成装置の外部に排出され、印刷済み用紙としてストックされる。
【００３０】
図５は、前記光走査装置１１の内部構成を示す概略構成図である。後述する光源装置２０から発した光線２１は、副走査方向のみ所定の曲率をもつシリンドリカルレンズ２３を通り、回転多面鏡２４によって偏向走査され、Ｆθレンズ２５を通り、折り返しミラー２８で反射し、図示しない感光体１８上に露光スポットとして結像され、帯電した感光体表面に静電潜像を形成する。なお、図中の矢印Ｘ方向は、光の走査方向（主走査方向）を示している。
【００３１】
偏向走査された光線の一部は、ミラー２６によって光センサ２７へ導かれ、そこからの出力信号により、前記光源装置２０から発せられる光線の書き込み変調を開始する。
【００３２】
図１は、本発明の第１の実施形態となる光源装置２０の斜視図である。また、図１０は、図１に示した光源装置２０の断面図である。この光源装置２０は、複数の発光素子を備える光源３０と、光源３０を固定している光源ホルダ３１と、光源ホルダ３１とコリメータレンズホルダ３４との結合部に介在している弾性体であるゴム３２と、光学素子であるコリメータレンズ４１と、コリメータレンズ４１を保持した鏡筒３３と、鏡筒ホルダであるコリメータレンズホルダ３４と、コリメータレンズホルダ３４を光走査装置の筺体に保持しているベース３６と、光源ホルダ３１とコリメータレンズホルダ３４とを結合させている４本のネジ３５１乃至３５４と、光走査装置におけるコリメータレンズ４１の光軸方向を微調整したのち固定する突きあて固定ネジ３７とを備えている。
【００３３】
光源ホルダ３１は、円板状で図７に示すような開口をもつフランジ型の形状をしており、中央の孔に光源３０をネジまたは溶接などで固定する。光源３０は複数の発光素子を備えており、発光素子はどのような配列でもよいが、ここでは、発光素子は図７に示す左右方向に一列に並んでいる。そして、光源ホルダ３１には、発光素子の配列方向および、その垂直方向にそれぞれ光源を中心にして対称になるようにネジの挿入口が設置されている。ネジの挿入口は、ネジ３５１乃至３５４を挿入する挿入口であるが、ネジ山が切っていない、ネジの直径より大きい所謂だぼ孔となっている。こうすることで、追って説明するネジ３５１乃至３５４による光源３０の光出射方向の調整を容易に行なうことができる。なお、ここでは、複数の光源は１次元配列したものを走査方向（図７では水平方向）に配列する場合を考えているが、副走査方向（図７では縦方向）に配列していても、２次元配列であってもよく、ネジの挿入口は一方の配列と同じ方向とそれに垂直な方向に、光源を中心としてそれぞれ対称に配置することが好ましい。
【００３４】
弾性体であるゴム３２も形状は光源ホルダ３１と類似しており、中央の開口が光源ホルダ３１の開口異状の大きさがある。このゴム３２は光源３０から出射した光線がコリメータレンズ４１側へ透過していく開口を有し、光源ホルダ３１とコリメータレンズホルダ３４との結合部に介在し、両者が互いに相対移動しないように押圧していればどのような形態でも、どのような材質でもよい。この実施形態では、比較的薄いほぼ光源ホルダ３１と類似の形状のゴム板とした。
【００３５】
押圧部材の弾性体であるゴム３２以外の例としては、バネ、スポンジ、プラスチック等がありこれでも同様の効果が得られる。（図1ではゴムの例を示した。）バネを利用した場合、例えばゴム３２のように光源ホルダ３１全体を押圧する一つのコイルバネでもよいし、それぞれのネジ３５１乃至３５４に嵌め込んだコイルバネでもよい。
【００３６】
コリメータレンズホルダ３４は、コリメータレンズ４１及び光源ホルダ３１を保持して、光源３０からの光線以外の光のコリメータレンズ４１への侵入を阻止している。コリメータレンズホルダ３４の光源ホルダ３１との結合部は、光源ホルダ３１のネジ３５１乃至３５４用の４個の孔に対応するネジ穴が配置されている。このネジ穴は、ネジ３５１乃至３５４と結合するためのネジ山が形成されている。このようにして、コリメータレンズホルダ３４と光源ホルダ３１とはゴム３２を介して、それぞれの結合部を付き合わせて４個のネジ３５１乃至３５４によって結合される。
【００３７】
このように、発光素子の配列方向および、その垂直方向の位置にネジで４点止めすることにより、後述するように従来から課題となっていた、発光素子の配列面である光源３０実装面の法線とコリメータレンズ４１の光軸との平行からのずれである「光源の実装面の傾き」の補正が容易に可能となる。また、ネジによる調整であるので、ネジの進行方向絵の進みはネジの一回転でネジ山一つ分と非常に少なく、「光源の実装面の傾き」の精密な調整が可能である。
【００３８】
「光源実装の傾き」の補正を含めた光源装置の調整、製造方法について説明する。コリメータレンズホルダ３４には、コリメータレンズ４１を実装した鏡筒３３を実装し、光軸に対し垂直方向から突き当て固定ネジ３７で固定する。次に、図７に示した光源ホルダ３１とほぼ同じ形状をしている弾性体であるゴム３２を、光源ホルダ３１とコリメータレンズホルダ３４の間に挟み込んで、光源ホルダ３１をコリメータレンズホルダ３４にネジ３５１乃至３５４で結合する。なお、光源ホルダ３１及びゴム３２にはネジ３５１乃至３５４を通すネジより大きめのネジ孔、所謂だぼ孔があり、ネジ山は切っていないでネジとネジ孔の間には移動しろ(遊び)がある。ネジ３５１乃至３５４はコリメータレンズホルダ３４にあるネジ山の切ってあるネジ穴に固定される。この場合、光源ホルダ３１とコリメータレンズホルダ３４とは完全に固定しないで、光源ホルダ３１がネジとネジ孔の間の遊び分だけ移動可能な状態にしておく。
【００３９】
その後、光源３０の中央の発光素子からの光線がコリメータレンズ４１の中央を通るよう、光源ホルダ３１とコリメータレンズホルダ３４の光軸の垂直方向位置を調整し、固定する。調整は、光源ホルダ３１にあいているネジ３５１から３５４を通すための孔の余裕寸法を利用する。このとき、光源ホルダ３１とコリメータレンズホルダ３４の間にあるゴム３２が変形する程度までネジ３５１から３５４を締めておくことにより、ゴム３２がスペーサかつ緩衝材として機能するから、振動等の外乱に強い構成となる。
【００４０】
光源３０の中央の発光素子からの光線がコリメータレンズ４１から出たとき平行光となる様にコリメータレンズ鏡筒の光軸方向位置を調整、固定する。次に、複数発光素子の両端の発光素子からの光線を個別に点灯させ、コリメータレンズ４１から出た光の平行度を測定する。平行度が同一でない場合、複数発光素子の並びの方向にあるネジ３５１、及び３５２を締めるあるいは緩めて、複数光源の両端の光線のコリメータレンズ４１から出た光の平行度が同じになるよう、光源の実装面の傾きを調整する。
【００４１】
なお、光源３０が２次元配列の場合は、発光素子の並び方向とその垂直方向の端部の光線を個別に点灯させ、ネジ３５１、３５２及びネジ３５３、３５４を締めるあるいは緩めて、複数発光素子の両端の発光素子からの光線のコリメータレンズから出た光の平行度が同じになるよう、光源実装面の傾き（光源ユニット全体の傾き）を調整する。この場合に、ネジによる固定位置が４箇所で、且つ発光素子の並び方向と固定用のネジ孔の並び方向とが同じ方向と垂直方向とにしておくと、発光素子の一つの並び方向の傾き調整においては、同じ並び方向のネジ孔のネジだけを調整すればよく、非常に傾き調整が楽になる。
【００４２】
この後、コリメータレンズホルダ３４、光源ホルダ３１からなる、光源装置２０全体を光軸を中心として回転させ、感光体の被光走査面上のスポット配列の走査間隔を所定の値に調整しコリメータレンズホルダ３４はネジでベース３６に固定される。
【００４３】
図９は感光体の被走査面上のスポット配列を示したものである。６０はスポット、６１はスポット配列の方向を示しており、光源装置全体を光軸を中心として回転させると、回転に伴って図９における傾け角θが変化する。これに伴って、スポットの感光体進行方向の走査間隔Ｐも変化する。よって、傾け角θを調整することで、走査間隔Ｐを目的の幅にすることが可能となる。
【００４４】
上述のように光源装置２０を組み立てる際に、光源３０の実装面の傾きを調整することにより、発光素子の数が多くても、前記実装面の傾きが無いので、スポット径が小さい条件であっても感光体上のスポット径を均一にできる。また、走査するスポット径が小さく焦点深度が狭くてもスポット直径のばらつきの少ない安定した静電潜像を作成することが可能となる。さらに、光源装置２０組立後に何らかの理由で発光素子の実装面がコリメータレンズ４１の光軸に対してずれを生じた場合にも、ネジ３５１乃至３５４の調整で容易に修正することができる。このため、複数の発光素子を備える光源の実装面の位置及び傾きを容易に精密に調整して組み立てるだけでなく、容易に補正できる合成光源装置、光走査装置、画像形成装置を提供することが可能となる。
【００４５】
（第２の実施形態）
図２は第２の実施形態の光源装置を説明するための図である。図２は、第２の実施形態の光源装置の断面図である。この実施形態例でも、第１の実施形態で説明した、光走査装置および画像形成装置の部分は同じである。この光源装置２０は、複数の発光素子を備える光源３０と、光源ホルダ３１と弾性体であるバネ４０とコリメータレンズ４１を実装した鏡筒３３とネジ３５１乃至３５４を備えている（ネジ３５３と３５４は図示していない）。
【００４６】
光源ホルダ３１の形状は第１の実施形態例で説明した図７に示した光源ホルダ３０と同様である。光源ホルダ３１は図７の中央の孔に光源３０をネジまたは溶接で実装、固定してある。光源３０は複数の一列に配列した発光素子を備えており、発光素子の配列方向および、その垂直方向にネジ山の切っていないネジを通す孔がくる様に光源を実装する。この第２の実施例の特徴は、鏡筒３３に光源ホルダ３１のネジ山の切っていないネジを通す孔の位置に対応したネジ穴を設け、鏡筒３３に到達するまでの長いネジを挿入したことにある。そのため、コリメータレンズホルダを省き、光源装置がコリメータレンズ４１の鏡筒３３と光源ホルダ３１の構成となり、実施形態１に示した光源装置よりも部品点数を少なくできる。また、コリメータレンズ４１及び光源３０の光軸周りの構造を光軸を中心に対称とすることができるので、環境温度変動があっても、コリメータレンズ４１の光軸垂直方向位置変動が生じない効果がある。
【００４７】
本実施形態例における光源装置の調整、組み立て方法は第１の実施形態例と同じであり、この実施形態例でも、光源実装面の傾きを調整できる。また、本例では、弾性体をバネ４０とし、図２に示すように４つのネジの中心に実装する。バネ４０を用いることにより、耐久性が高くなり、ネジの締め付け調整範囲やバネ強さがゴムより自由に選定できる利点がある。なお弾性体は、バネでなく、スポンジやゴムやプラスチック等の樹脂であっても同様の効果が得られる。
【００４８】
（第３の実施形態）
図３は、第３の実施形態を説明するための図である。図３は、光源装置を２式備え、ベース３６にネジ３７で突き当て固定する。いわゆる合成光源装置の例である。図３では第２の実施形態例の光源装置４５がふたつ配置されている例を示している。この場合、光源装置４５を２式備え、互いに角度をもってシリンドリカルレンズ２３を光が透過し、図５を参照すれば回転多面鏡２４位置でほぼ交差するように実装している。この構成の場合、部品点数が少なくてすむので安価に単一の光源装置のビーム数の２倍のビーム数の光源装置を得られるという利点がある。
【００４９】
（第４の実施形態）
図４は、第４の実施形態を説明するための図である。図４は、光源装置を２式備え、ベース３６にネジ３７で突き当て固定する。図４では第２の実施形態例の光源装置４５を示している。この実施形態例では、光源装置４５を２式備え、プリズム４６で、反射する光線と透過する光線を合成する。この場合、各光源装置４５からの光線の光軸と合成後の光線の光軸を一致させることができるので、収差の少ない光学系を実現できるから、安定した小さなスポット径を得られるという利点がある。
【図面の簡単な説明】
【００５０】
【図１】第１の光源装置の斜視図
【図２】第２の光源装置の断面図
【図３】第３の光源装置（合成光源）の概念図
【図４】第４の光源装置（合成光源）の概念図
【図５】光源装置を実装する光走査装置の概略構成図
【図６】光走査装置を用いた画像形成装置の概略構成図
【図７】光源ホルダ部の概略図
【図８】光源部の素子の配列を示す図
【図９】走査面上のスポット配列を示す図
【図１０】第１の光源装置の断面図
【符号の説明】
【００５１】
１０：帯電装置、１１：光走査装置、１２：現像装置、１３：印刷用紙、１４：搬送装置、１５：転写装置、１６：清掃装置、１７：定着装置、１７ａ：ヒートローラ、
１７ｂ：加圧ローラ、１８：感光体、２０：光源装置、２１：光線、２４：回転多面鏡、２５：Ｆθレズ、２６：ミラー、２７：光センサ、２８：折り返しミラー、３０：光源、３１：光源ホルダ、３２：弾性体（ゴム）、３３：鏡筒、３４：コリメータレンズホルダ、３５１，３５２，３５３，３５４：ネジ、３６：ベース、３７：突き当て固定ネジ、
４０：弾性体（バネ）、４１：コリメータレンズ、４５：光源装置、４６：プリズム、
５０：光軸方向、５１：法線が光軸と平行となる光源配列、
５２：法線が光軸に対し傾いた光源配列、５３：光源素子。
【図１】
0005025347.tif 000003
【図２】
0005025347.tif 000004
【図３】
0005025347.tif 000005
【図４】
0005025347.tif 000006
【図５】
0005025347.tif 000007
【図６】
0005025347.tif 000008
【図７】
0005025347.tif 000009
【図８】
0005025347.tif 000010
【図９】
0005025347.tif 000011
【図１０】
0005025347.tif 000012